(57)【要約】【課題】円筒形状の対向電極を備えている高周波放電を利用した電気音響変換器において、プラズマによって針状電極と対向電極がショートされることを防止する。【解決手段】針状電極３と、針状電極３に対向する対向電極４とを有し、針状電極３と対向電極４との間に高周波電圧を印加して針状電極３と対向電極４との間で放電させ電気音響変換する電気音響変換器。対向電極４は、針状電極３から延びるプラズマ８を囲む円筒面を有するとともに円筒面の一部に切除部４１が形成されている。【選択図】図１
2014241527.tif 000002
【特許請求の範囲】
【請求項１】
針状電極と、この針状電極に対向する対向電極とを有し、上記針状電極と上記対向電極との間に高周波電圧を印加して上記針状電極と上記対向電極との間で放電させ電気音響変換する電気音響変換器であって、
上記対向電極は、上記針状電極から延びるプラズマを囲む円筒面を有するとともに円筒面の一部に切除部が形成されている電気音響変換器。
【請求項２】
対向電極は全体として円筒形であって、円筒形の一部が中心軸線と平行な線に沿って切り欠かれて周方向の一部が開放した切除部となっている請求項１記載の電気音響変換器。
【請求項３】
対向電極は全体として円筒形であって、内周側の一部が半径方向外側に向かい拡張されて切除部となっている請求項１記載の電気音響変換器。
【請求項４】
対向電極は、中心軸線方向において針状電極に連続する位置に配置されている請求項１、２または３記載の電気音響変換器。
【請求項５】
対向電極の円筒面の中心軸線上に針状電極が配置されている請求項１乃至４のいずれかに記載の電気音響変換器。
【請求項６】
針状電極および対向電極が水平方向を向いている姿勢において、対向電極の切除部が垂直方向上側に位置するように、針状電極と対向電極との位置関係が設定されている請求項１乃至５のいずれかに記載の電気音響変換器。
【発明の詳細な説明】
【技術分野】
【０００１】
本発明は、高周波放電を利用することによって振動板を不要にした電気音響変換器に関するものである。
【背景技術】
【０００２】
一般的なマイクロホンやスピーカなどの電気音響変換器では、振動板の機械的な振動を利用して電気音響変換される。マイクロホンの場合、音波を受けて振動する振動板の振動を、電磁的な変化、静電容量の変化、あるいは光電的な変化などとしてとらえて電気信号に変換する。スピーカの場合、一般的には、音声信号を電磁変換して振動板の振動に変換し、音波として放出するようになっている。これら電気音響変換器における振動板は、空気振動を電気信号に、電気信号を空気振動に変換するために用いられる。
【０００３】
振動板を備えた機械振動系の電気音響変換器の制御方式には、質量制御、抵抗制御、弾性制御がある。振動板の共振周波数は、主要周波数帯域の下限付近、中央、上限付近にそれぞれ存在するように設計される。従来一般的に使用されている振動板を備えた電気音響変換器、特にマイクロホンは、いずれの制御方式にせよ、振動板が存在することに起因する周波数応答の限界が存在する。したがって、振動板の質量を極限まで小さくしたとしても、質量が存在する以上慣性力が働き、周波数において集音限界が存在することになる。
【０００４】
そこで、振動板を持たない電気音響変換器の研究が行われている。その成果の一例として、放電を利用して粒子速度を検出し、電気音響変換する方法が特許文献１に記載されている。特許文献１記載の発明は、針状放電電極と、この放電電極を、間隔をおいて取り囲む対向電極を備えている。対向電極は、球状をなしていて音波を透過するように穿孔された導電材料からなり、放電電極は、上記球状対向電極の内部に伸びて球の中心近傍に到達している。放電電極には、高周波電圧発生回路から高周波電圧信号が印加される。この高周波電圧信号は、高周波電圧発生回路において、音波に変換されるべき低周波信号によって変調されている。放電電極と対向電極との間で上記高周波電圧信号に対応したコロナ放電が行われ、上記低周波信号すなわち音波が放射されるようになっている。
【０００５】
特許文献１記載の発明はイオンスピーカといわれるものであり、マイクロホンとして使用することは想定されていない。そこで本発明者は、放電を利用して音波を電気信号に変換することができるマイクロホンに関して先に提案した（例えば、特許文献２参照）。
【０００６】
特許文献２記載の発明は、針状電極と、針状電極に対向する対向電極と、針状電極と対向電極の間に形成される放電部と、この放電部を含み放電部で高周波放電を生起させる高周波発振回路と、上記放電部に音波を導入する音波導入部と、上記高周波発振回路で発振され上記放電部に導入される音波に応じて変調された信号を取り出す変調信号取り出し部と、を備えている。上記高周波発振回路が針状電極と対向電極との間の放電部を帰還路として高周波発振することにより上記放電部は高周波放電し、放電部の等価インピーダンスが音波に応じ変化して周波数変調される。この周波数変調された信号を復調することにより、音波に応じた信号すなわち音声信号を得ることができる。
【先行技術文献】
【特許文献】
【０００７】
【特許文献１】特開昭５５−１４０４００号公報
【特許文献２】特開２０１０-１８３３３０号公報
【０００８】
特許文献１，２に記載されているような高周波放電を利用した電気音響変換器として、例えばイオンスピーカ（イオンツイータ）がある。また、特許文献２に記載されている技術を採用することにより、イオンマイクロホンを実現することができる。特許文献２記載の発明のように、針状電極とこれに対向する対向電極との間に高周波電圧を印加すると、針状電極の先端部から対向電極に向かってプラズマが発生する。プラズマは針状電極から対向電極に向かって火炎のように発生するので、放電炎といわれることもある。針状電極はプラズマに接しているため高温になる。
【０００９】
針状電極に対向する電極は、これを平板状の電極ではなく円筒形状の電極にすることにより電気音響変換器の感度を高めることができることがわかった。また、放電電力を増大させることによっても電気音響変換器の感度を高めることができる。しかし、放電電力が過大になると、電極間で火花放電に移行して実質的にショートした状態になり、電気音響変換器として動作しなくなる。針状電極に対向する電極を、上記のように円筒形状の電極とし、円筒形状の電極で針状電極を取り囲んだ構成にすると、火花放電を発生しやすくなる。その理由を以下に説明する。
【００１０】
図８は、高周波放電を利用した従来の電気音響変換器の例を示す。図８において、針状電極３に対向する対向電極４は円筒形状に形成されている。針状電極３と対向電極４の中心軸線方向の位置関係は、針状電極３の先端側に、かつ、針状電極３の先端に連続して対向電極４が位置する関係になっている。針状電極３と対向電極４の中心軸線は共通で、中心軸線方向から見た位置関係は、針状電極３の外周を、一定の間隙をおいて対向電極４が取り囲む位置関係になっている。針状電極３の基部は円筒形状の絶縁筒５で覆われ、絶縁筒５はさらに円筒形状の絶縁筒６に嵌められ、絶縁筒６は円板状のベース１を厚さ方向に貫通し、ベース１に固着されている。
【００１１】
ベース１の外周には円筒形のケース２の一端部内周が嵌め合いによって固着され、ベース１の一面側に向かってケース２が延び出ている。ケース２の延出方向に針状電極３が延び出るとともに、針状電極３はケース２のほぼ中心軸線上に、かつ、ケース２で囲まれる空間内に位置している。ケース２のベース１固着側とは反対側は開口端になっていて、この開口端の内周に対向電極４の外周が嵌め込まれ、対向電極４がケース２に固着されている。
【００１２】
針状電極３には、高周波発振回路などを含むドライバ７から高周波電圧が印加される。針状電極３と対向電極４は放電部を構成していて、この放電部に高周波電圧が印加されることにより、上記放電部に高周波放電が生起される。この放電は火炎放電といわれるもので、図８における符号８は、上記放電部において放電によって生じる放電炎すなわちプラズマを示している。
【００１３】
電気音響変換器は、通常、音波が横方向から入射し出射するような姿勢で設置される。換言すれば、水平方向の姿勢を中心にして、必要に応じ適宜上斜めあるいは下斜めに傾けた姿勢で使用される。図８に示す電気音響変換器の姿勢は通常の使用態様であって、左横方向から音波が入射し、または左横方向に音波が出射する姿勢になっている。プラズマ８は電離によって生じた荷電粒子を含む気体であり、高温になる。プラズマ８は高温の気体であるから、図８に示すように電気音響変換器の姿勢が横向きになっていると、針状電極３の先端から対向電極４の中心軸線に沿って延び出たプラズマ８は、その先端部が温度上昇によって上向きに湾曲する。
【００１４】
図８は、プラズマ８の先端部が上向きに湾曲した状態を示している。対向電極４は円筒形状になっているため、プラズマ８の先端部が上向きに湾曲すると、プラズマ８が対向電極４に届くことがあり得る。プラズマ８が対向電極４に届くと、プラズマ放電から火花放電に移行し、針状電極３と対向電極４がショートしたのと同じになり、電気音響変換ができなくなる。この技術的課題は、電気音響変換器の感度をよくするために対向電極４を円筒形状にしたことによって明らかになったものである。電気音響変換器の感度をさらに高めようとして、針状電極３に印加する高周波電圧をより高くすると、プラズマ８の大きさおよびその先端部の湾曲が大きくなり、針状電極３と対向電極４とがさらにショートしやすくなる。
【００１５】
上に述べた技術的課題の影響を受けないようにするには、図９に示すように、電気音響変換器を上向きに、かつ、中心軸線を垂直方向に向けた姿勢で使用するとよい。針状電極３は垂直方向上向きの姿勢になり、プラズマ８は針状電極３の先端から歪むことなく鉛直に延びる。このときのプラズマ８は、その温度が上昇しても形状は変わらない。このプラズマ８の周囲を、プラズマ８の周囲から一定の間隔をおいて対向電極４が取り囲んでいる。
【００１６】
図９に示す電気音響変換器の使用態様によれば、円筒形状の針状電極３に印加する高周波電圧をより高くしてプラズマ８をより大きくしても、針状電極３と円筒形状の対向電極４がショートすることはない。しかし、電気音響変換器すなわちマイクロホンやスピーカを図９に示すように上向きにして使用することは稀である。特に、マイクロホンとして使用する場合、電気音響変換器の真上から真下に向かって音声を発する必要があり、プラズマ８の高温の影響を受ける。したがって、図８に示すような横向きの使用態様においても、プラズマ８が針状電極３と対向電極４をショートすることがないように構造を工夫することが望まれる。
【発明の概要】
【発明が解決しようとする課題】
【００１７】
本発明は、以上説明してきた従来の高周波放電を利用した電気音響変換器の技術的な課題を解消することを目的とする。すなわち、本発明は、円筒形状の対向電極を備えている高周波放電を利用した電気音響変換器において、プラズマによって針状電極と対向電極がショートされることを防止することを目的とする。
【課題を解決するための手段】
【００１８】
本発明は、
針状電極と、この針状電極に対向する対向電極とを有し、上記針状電極と上記対向電極との間に高周波電圧を印加して上記針状電極と上記対向電極との間で放電させ電気音響変換する電気音響変換器であって、
上記対向電極は、上記針状電極から延びるプラズマを囲む円筒面を有するとともに円筒面の一部に切除部が形成されていることを最も主要な特徴とする。
【発明の効果】
【００１９】
電気音響変換器を横向きの姿勢で使用すると、針状電極から延びるプラズマの先端部が上向きに湾曲する。このプラズマの湾曲位置に対向電極の切除部を合わせて電気音響変換器を設置する。プラズマの先端部が上向きに湾曲しようとしても、上記切除部に対応する部分の電界力が他の部分の電界力よりも小さいため、プラズマの先端部が下向きに引き付けられ、プラズマが対向電極に到達することを回避することができる。このようにして、針状電極と対向電極とのショートを防止することができる。
【図面の簡単な説明】
【００２０】
【図１】本発明に係る電気音響変換器の一実施例を示す縦断面図である。
【図２】上記実施例の正面図である。
【図３】上記実施例中の対向電極を示す縦断面図である。
【図４】上記対向電極の正面図である。
【図５】本発明に適用可能な対向電極の別の例を示す正面図である。
【図６】本発明に適用可能な対向電極のさらに別の例を示す正面図である。
【図７】上記対向電極の縦断面図である。
【図８】従来の高周波放電を利用した電気音響変換器の例を示す縦断面図である。
【図９】上記従来の電気音響変換器を、姿勢を変えた態様で示す縦断面図である。
【発明を実施するための形態】
【００２１】
以下、本発明に係る電気音響変換器の実施例を、図面を参照しながら説明する。図８、図９に示す従来例の構成と同じ構成部分には同じ符号を付している。
【実施例１】
【００２２】
図１、図２において、符号３は針状電極を、符号４は対向電極を示している。針状電極３は、タングステンなどの金属からなる横断面円形の線材の先端を針状に尖らせた形をしている。針状電極３に対向する対向電極４は、素材として例えばステンレス鋼が用いられ、ほぼ円筒形状に形成されている。針状電極３と対向電極４の中心軸線方向の位置関係は、針状電極３の先端側に、かつ、針状電極３の先端に連続して対向電極４が位置する関係になっている。針状電極３と対向電極４は、これらの中心軸線方向から見て中心軸線が共通すなわち対向電極４の円筒面の中心軸線上に針状電極３が配置されている。そして、中心軸線方向から見た針状電極３と対向電極４の位置関係は、針状電極３の外周を、一定の間隙をおいて対向電極４が取り囲んだ位置関係になっている。
【００２３】
針状電極３の基部は円筒形状の絶縁筒５で覆われ、絶縁筒５はさらに円筒形状の絶縁筒６に嵌め込まれている。絶縁筒６は円盤状のベース１を厚さ方向に貫通し、ベース１に固着されている。ベース１の外周には円筒形のケース２の一端部内周が嵌められて固定され、ベース１の一面側にケース２が延び出ている。ケース２の延出方向に針状電極３が延び出るとともに、針状電極３はケース２のほぼ中心軸線上に、かつ、ケース２で囲まれた空間内に位置している。ケース２のベース１固着側とは反対側の端部は開口端になっていて、この開口端の内周に対向電極４の外周が嵌め込まれ、対向電極４がケース２に固着されている。
【００２４】
本実施例が図８、図９に示す従来例と異なる点は、対向電極４に切除部４１が形成されている点である。対向電極４は、電気音響変換器の感度を高めるために、基本形状は全体として円筒形であるが、円筒形の一部に切除部４１が形成されている。円筒形の対向電極４は、その一部が中心軸線と平行な線に沿って切り欠かれて周方向の一部が開放し、この解放した部分が切除部４１になっている。対向電極４に切除部４１が形成されることにより、針状電極３と対向電極４との間の電界力分布は、切除部４１に対応する部分の電界力が他の部分の電界力よりも小さくなる。切除部４１は対向電極４の長さ方向すなわち中心軸線方向全体にまたがって形成されている。ただし、プラズマ８が上向きに湾曲するのはプラズマ８の先端部であるから、上記切除部４１は、プラズマ８の先端部に対応する部分にのみ、すなわち、図１において対向電極４の左端部にのみ形成してもよい。
【００２５】
針状電極３には、高周波発振回路などを含むドライバ７から高周波電圧が印加される。針状電極３と対向電極４は放電部を構成していて、この放電部に高周波電圧が印加されることにより、上記放電部に高周波放電が生起される。この放電は火炎放電といわれるもので、図１における符号８は、上記放電部において放電によって生じる放電炎すなわちプラズマを示している。対向電極４は、針状電極３から延びるプラズマ８を囲む円筒面を有し、この円筒面の一部に切除部４１が形成された形状になっている。
【００２６】
すでに述べたとおり、電気音響変換器は、通常、音波が横方向から入射し、あるいは横方向に出射するような姿勢、すなわち、水平方向の姿勢を中心にして、必要に応じ適宜上または下に傾けた姿勢で使用される。図１に示す電気音響変換器の姿勢は通常の使用態様で、左横方向から音波が入射し、または左横方向に向かって音波が出射する姿勢になっている。プラズマ８は高温の気体である。電気音響変換器の姿勢が横向きになっていると、針状電極３の先端から対向電極４の中心軸線に沿って延び出たプラズマ８は、その先端部が温度上昇によって上向きに湾曲しようとする。電気音響変換器は、プラズマ８が湾曲しようとする方向に対向電極４の切除部４１が位置するように姿勢を定めて設置する。すなわち、対向電極４の切除部４１が上側に位置し、対向電極４の上側が切除部４１によって解放される態様で電気音響変換器の姿勢を定める。したがって、針状電極３および対向電極４が水平方向を向いている姿勢において、対向電極４の切除部４１が垂直方向上側に位置するように、針状電極と対向電極との位置関係が設定されている。
【００２７】
電気音響変換器を上記の姿勢に定め、針状電極３から対向電極４に向かうプラズマ８を生成させると、プラズマ８の先端部が温度上昇によって上向きに湾曲しようとする。しかし、対向電極４の上部が切除部４１で開放しているため、針状電極３と対向電極４との間の電界力分布は、切除部４１に対応する部分が他の部分よりも小さくなる。したがって、電界力分布によりプラズマ８に作用する引っ張り力は、プラズマ８の上方への引っ張り力よりも、プラズマ８の下方への引っ張り力が大きくなり、温度上昇によって上昇しようとするプラズマ８が下方に引っ張られる。その結果、プラズマ８は、図１に示すように上方への湾曲が抑制され、ほぼ均等化された形状になる。
【００２８】
実施例１に係る高周波放電による電気音響変換器によれば、対向電極４の切除部４１が上側に位置する姿勢で使用することにより、プラズマ８が温度上昇によって上方に湾曲することを抑制することができる。よって、感度を高めるために針状電極３と対向電極４との間に印加する高周波電圧値を高めても、プラズマ８が針状電極３と対向電極４とをショートさせる火花放電に移行することを防止することができる。
【００２９】
対向電極４を中心軸線方向から見た切除部４１の開き角度は、設計仕様に応じて適宜定めればよい。図３、図４に示す例では、切除部４１の開き角度は約１２０度であり、図５に示す例では、切除部４１の開き角度は約９０度である。切除部４１の開き角度が９０度以上であれば、プラズマ８の温度上昇による湾曲を確実に防止することができる。
【実施例２】
【００３０】
実施例１では、円筒形状の対向電極４の円筒形の一部を、中心軸線と平行な線に沿って切り欠き、周方向の一部を開放させて切除部４１を形成していた。しかし、円筒形状の対向電極に形成する切除部の電界力が、他の部分の電界力よりも小さくなっていればよく、必ずしも周方向の一部を開放させる必要はない。
【００３１】
図６、図７は、対向電極の周方向の一部を開放させることなく対向電極の切除部を形成して、上記切除部に対応する部分の電界力が他の部分の電界力よりも小さくなるようにした実施例２を示す。図６、図７において、符号４０は対向電極を示している。対向電極４０は、もともとの形状は円筒形で、横断面円形の外周面と横断面円形の中心孔４０１を有していたものである。しかし、中心孔４０１の一部すなわち対向電極４０の内周側の一部が、半径方向外側に向かい拡張され、この拡張部分が切除部４０２となっている。
【００３２】
中心孔４０１の約半周が半径方向外側に向かい拡張されて切除部４０２となっていて、切除部４０２が形成されている部分の対向電極４０の肉厚が、他の部分の肉厚よりも薄くなっている。換言すれば、円筒形の対向電極４０に、横断面において長円形の孔が、対向電極４０の中心からずらして形成された形状になっている。切除部４０２は、対向電極４０の中心軸線方向全体にわたって形成されている。この実施例の場合も、上記切除部４０２は、プラズマ８の先端部に対応する部分にのみ、すなわち、対向電極４の前端部（図１に示す姿勢において左端部）にのみ形成してもよい。
【００３３】
対向電極４０は、その外周が図１に示す前記実施例と同様にケース２の先端部内周に嵌め込まれてケース２に固着されている。対向電極４０を除く他の構成部材は図１に示す前記実施例と同様であり、針状電極３に対する対向電極４０の位置関係も前記実施例と同様である。実施例２に係る電気音響変換器も図１に示すような横向きの姿勢で使用することができ、その場合、対向電極４０の切除部４０２が対向電極４０の上側に位置するように姿勢を定める。
【００３４】
上記の姿勢で針状電極と対向電極４０との間に高周波電圧を印加すると、針状電極と対向電極４０で構成される放電部に高周波放電が生起され、放電炎すなわちプラズマが生じる。対向電極４０は、針状電極３から延びるプラズマを囲む円筒面を有し、この円筒面の一部に切除部４０２が形成された形状になっている。プラズマは高温の気体であるから、電気音響変換器の姿勢が横向きになっていると、針状電極の先端から対向電極４０の中心軸線に沿って延び出たプラズマは、その先端部が温度上昇によって上向きに湾曲しようとする。電気音響変換器は、プラズマが湾曲しようとする方向に対向電極４０の切除部４０２が位置する姿勢で設置されるため、プラズマが湾曲しようとする方向において対向電極４０が遠ざかることになる。
【００３５】
針状電極と対向電極４０との間の電界力分布は、切除部４０２に対応する部分が他の部分よりも小さくなり、電界力分布によりプラズマに作用する上方への引っ張り力は、プラズマの下方への引っ張り力が大きくなる。よって、温度上昇により上方に湾曲しようとするプラズマは下方に引っ張られ、プラズマは、図１に示すプラズマの例と同様に、ほぼ均等化された形状になる。
【００３６】
このように、実施例２によれば、対向電極４０が切除部４０２を有しているため、針状電極と対向する電極を円筒形の対向電極４０としても、針状電極と対向電極４０との間でプラズマが火花放電に移行することを防止することができる。また、針状電極と対向電極４０との間に印加する高周波電圧値を高めて感度を高めても、針状電極と対向電極４０との間でプラズマが火花放電に移行することを防止することができる。
【産業上の利用可能性】
【００３７】
本発明に係る電気音響変換器は、マイクロホンあるいはスピーカとして利用可能であるとともに、空気の移動、振動あるいは変動などの測定器として利用することができる。特に、機械的な振動板が不要であることから、過酷な環境条件下における測定器として有望である。
【符号の説明】
【００３８】
１    ベース
２    ケース
３    針状電極
４    対向電極
５    絶縁筒
８    プラズマ
４１    切除部
４２    切除部
４０    対向電極
４０２    切除部
【図１】
2014241527.tif 000003
【図２】
2014241527.tif 000004
【図３】
2014241527.tif 000005
【図４】
2014241527.tif 000006
【図５】
2014241527.tif 000007
【図６】
2014241527.tif 000008
【図７】
2014241527.tif 000009
【図８】
2014241527.tif 000010
【図９】
2014241527.tif 000011